(57)【要約】【課題】田畑、果樹園、ゴミ集積所等において容易に設置でき、烏等の鳥類が飛来するのを防いで鳥類による被害を確実に防止できる簡易な構造の鳥害防止装置を提供する。【解決手段】鳥害防止装置１０は、網を丸めて筒状にされた変形自在な筒網１１と、筒網１１の両端開口にそれぞれ同軸状に固定された針金を丸めた一対のリング部１３，１５と、一方のリング部１３の円周の一箇所に連結されて径方向外方に延びた第１支持棒部２３と、第１支持棒部２３を長手方向を中心として回動可能に支持してその延長方向に延びる第２支持棒部２５と、一対のリング部１３，１５間に介在して筒網１１を筒状に維持する連結線材１７と、第１支持棒部２３のリング部１３への連結位置から延びてリング部１３の反対位置に固定される第２連結線材２３とを備えている。【選択図】図１
0003120781.tif 000002
【実用新案登録請求の範囲】
【請求項１】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた支持棒部と、該一対のリング部間に介在して前記筒網を筒状に維持する連結線材とを備え、前記支持棒部が上下に向いて立設され、該支持棒部によって前記筒網が水平方向を向くように支持されることを特徴とする鳥害防止装置。
【請求項２】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた支持棒部と、該一対のリング部間に介在して前記筒網を筒状に維持する連結線材と、前記支持棒部の前記リング部への連結位置から延びて該リング部の反対位置に固定される第２連結線材とを備え、前記支持棒部が上下に向いて立設され、該支持棒部によって前記筒網が水平方向を向くように支持されることを特徴とする鳥害防止装置。
【請求項３】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた第１支持棒部と、該第１支持棒部を長手方向を中心として回動可能に支持して該第１支持棒と同一方向に延びる第２支持棒部と、該一対のリング部間に介在して前記筒網を筒状に維持する連結線材とを備え、前記第１及び第２支持棒部が上下に向いて立設され、該第１及び第２支持棒部によって前記筒網が水平方向を向くように支持されることを特徴とする鳥害防止装置。
【請求項４】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた第１支持棒部と、該第１支持棒部を長手方向を中心として回動可能に支持して該第１支持棒の延長方向に延びる第２支持棒部と、該一対のリング部間に介在して前記筒網を筒状に維持する連結線材と、前記支持棒部の前記リング部への連結位置から延びて該リング部の反対位置に固定される第２連結線材とを備え、前記第１及び第２支持棒部が上下に向いて立設され、該第１及び第２支持棒部によって前記筒網が水平方向を向くように支持されることを特徴とする鳥害防止装置。
【請求項５】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた支持棒部と、該一対のリング部間に介在して前記筒網を筒状に維持する連結線材とを備え、該連結線材が一方の該リング部から延びる第１線材と他方の該リング部から延びる第２線材と、該第１及び第２線材の先端交差部分にて該第１及び第２線材に摺動可能に被せられて両線材を直線状に保持する環状の保持部材とからなり、前記支持棒部が上下に向いて立設され、該支持棒部によって前記筒網が水平方向を向くように支持されることを特徴とする鳥害防止装置。
【請求項６】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた支持棒部と、該一対のリング部間に介在して前記筒網を筒状に維持する連結線材と、前記支持棒部の前記リング部への連結位置から延びて該リング部の反対位置に固定される第２連結線材とを備え、該連結線材が一方の該リング部から延びる第１線材と他方の該リング部から延びる第２線材と、該第１及び第２線材の先端交差部分にて該第１及び第２線材に摺動可能に被せられて両線材を直線状に保持する環状の保持部材とからなり、前記支持棒部が上下に向いて立設され、該支持棒部によって前記筒網が水平方向を向くように支持されることを特徴とする鳥害防止装置。
【請求項７】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた第１支持棒部と、該第１支持棒部を長手方向を中心として回動可能に支持して該第１支持棒と同一方向に延びる第２支持棒部と、該一対のリング部間に介在して前記筒網を筒状に維持する連結線材とを備え、該連結線材が一方の該リング部から延びる第１線材と他方の該リング部から延びる第２線材と、該第１及び第２線材の先端交差部分にて該第１及び第２線材に摺動可能に被せられて両線材を直線状に保持する環状の保持部材とからなり、前記第１及び第２支持棒部が上下に向いて立設され、該第１及び第２支持棒部によって前記筒網が水平方向を向くように支持されることを特徴とする鳥害防止装置。
【請求項８】
網を丸めて筒状にされた変形自在な筒網と、該筒網の両端開口にそれぞれ同軸状に固定された硬質線材からなる一対の環状のリング部と、一方の該リング部の一箇所にて連結されて径方向外方に延びた第１支持棒部と、該第１支持棒部を長手方向を中心として回動可能に支持して該第１支持棒の延長方向に延びる第２支持棒部と、該一対のリング部間に介在して前記筒網を筒状に維持する連結線材と、前記支持棒部の前記リング部への連結位置から延びて該リング部の反対位置に固定される第２連結線材とを備え、該連結線材が一方の該リング部から延びる第１線材と他方の該リング部から延びる第２線材と、該第１及び第２線材の先端交差部分にて該第１及び第２線材に摺動可能に被せられて両線材を直線状に保持する環状の保持部材とからなり、前記第１及び第２支持棒部が上下に向いて立設され、該第１及び第２支持棒部によって前記筒網が水平方向を向くように支持されることを特徴とする鳥害防止装置。
【考案の詳細な説明】
【技術分野】
【０００１】
本考案は、田畑、果樹園、ゴミ集積所、養殖池等にカラス等の鳥類が飛来するのを防いで、鳥類による被害を防止する鳥害防止装置に関する。
【背景技術】
【０００２】
従来、この種の鳥害防止装置としては、例えば特許文献１に示すように、キャップ下部に通過口を設け、ツル、枝葉がキャップ内外へ成長できるようにして、キャップは太陽光及び通気性を持たせるため、網目もしくは穴構造をなし、カラスのような屈強な嘴から守られる材質で、キャップが飛ばされないように、脚は抜け防止ピンを使用して確実に固定するようにしたものが知られている。また、この鳥害防止装置には、キャップ表面及び頂上に光反射鏡を配置して、鳥を近づきにくくしており、畑の中にまばらに点在する果実を、最小の資材と労力で効果的に鳥から守ろうとするものである。しかし、この鳥害防止装置は、キャップの形状が大きくなるため高価であり、また設置するのに非常に労力が大きく簡単に取り外すこともできないので、取り扱いが煩雑になるという問題がある。
【特許文献１】特開２００３−２３５４３５
【考案の開示】
【考案が解決しようとする課題】
【０００３】
本考案は、上記問題を解決しようとするもので、田畑、果樹園、ゴミ集積所、養殖池等において容易に設置でき、烏等の鳥類が飛来するのを防いで鳥類による被害を確実に防止できる簡易な構造で安価な鳥害防止装置を提供することを目的とする。
【課題を解決するための手段】
【０００４】
上記目的を達成するために本考案の構成上の特徴は、網を丸めて筒状にされた変形自在な筒網と、筒網の両端開口にそれぞれ同軸状に固定された硬質線材からなる一対の環状のリング部と、一方のリング部の一箇所にて連結されて径方向外方に延びた支持棒部と、一対のリング部間に介在して筒網を筒状に維持する連結線材とを備え、支持棒部が上下に向いて立設され、支持棒部によって筒網が水平方向を向くように支持されることにある。
【０００５】
上記のように構成した考案においては、一対のリング部間に介在した連結線材によって筒網を筒状に維持され、一方のリング部の一箇所にて連結されて径方向外方に延びた支持棒部が上下に向いた状態で、果樹や田畑等の所定箇所等において配置されて立設され、支持棒部によって筒状の筒網が水平方向を向くように支持される。このように、筒状の筒網が水平方向に向いた状態で果樹や作物等の上に配置されることにより、飛来した鳥類が筒網を見て脅威を感じ、短時間で果樹や作物等から確実に離れるようになる。また、鳥類の数には関係なく、少数でも非常に多数の群れでも、鳥害防止装置から遠方に確実に離散させることができる。その結果、本考案においては、田畑、果樹園、ゴミ集積所、養殖池等において烏等や種々の渡り鳥等の鳥類が飛来するのを防いで鳥類による被害を確実に防止できる。また、本考案の鳥害防止装置は、網を丸めて筒状にされた変形自在な筒網と、筒網の両端開口にそれぞれ同軸状に固定された一対の環状のリング部と、一方のリング部の一箇所にて連結されて径方向外方に延びた支持棒部とからなる簡易な構造であるため、果樹や田畑等の種々の場所での設置及び取り外しが簡易であると共に安価に提供される。
【０００６】
また、上記鳥害防止装置において、支持棒部のリング部への連結位置から延びてリング部の反対位置に固定される第２連結線を設けることもできる。このように、支持棒部側のリング部が第２連結線材で補強されることにより、環状のリング部の外形が確保されて、筒網が筒形に維持されるので、鳥害防止装置による鳥類を追い払う効果がより確実に達成される。
【０００７】
さらに、上記鳥害防止装置において、支持棒部を、一方のリング部の一箇所にて連結されて径方向外方に延びた第１支持棒部と、第１支持棒部を長手方向を中心として回動可能に支持して第１支持棒と同一方向に延びる第２支持棒部とで構成することもできる。このように、筒状になった筒網を支持する第１支持棒部を、第１支持棒と同一方向に延びる第２支持棒部によって長手方向を中心として回動可能に支持することにより、水平方向に向いた状態で果樹や作物等の上に配置された筒状の筒網が、風向きによって自由に方向を変えることができる。そのため、田畑、果樹園、ゴミ集積所、養殖池等に飛来する烏等の鳥類に与える脅威が一層大きくなり、鳥類による被害を一層確実に防止できる。
【０００８】
また、上記鳥害防止装置において、連結線材を、一方のリング部から延びる第１線材と他方のリング部から延びる第２線材と、第１及び第２線材の先端交差部分にて第１及び第２線材に摺動可能に被せられて両線材を直線状に保持する環状の保持部材とにより構成することもできる。これにより、鳥害防止装置の使用の際には、保持部材を長手方向にスライドさせることにより、簡単に第１線材と第２線材を直線状に保持することができ、筒網を筒状に維持することができる。また、鳥害防止装置の使用後には、保持部材を長手方向にスライドさせることにより、簡単に直線状に保持された第１線材と第２線材が自由な状態にすることができ、筒網が筒状から解除されるため、折りたたんでコンパクトにすることができる。そのため、鳥害防止装置の使用後に、鳥害防止装置を保管する手間が容易になる。
【考案の効果】
【０００９】
本考案においては、一対のリング部間に介在した連結線材によって筒網を筒状に維持され、一方のリング部の一箇所にて連結されて径方向外方に延びた支持棒部が上下に向いた状態で、果樹や田畑の所定箇所等において配置されて支持棒が上下方向を向いて立設され、支持棒部によって筒状の筒網が水平方向を向くように支持されことにより、飛来した鳥類が筒網を見て脅威を感じ、果樹や作物等から確実に離れるようになる。その結果、本考案においては、簡易な構造で簡単に設置できる鳥害防止装置により、田畑、果樹園、ゴミ集積所等において烏等の鳥類が飛来するのを防いで鳥類による被害を確実に防止できる。
も同様の効果が得られる。
【考案を実施するための最良の形態】
【００１０】
以下、本考案の一実施例について図面を用いて説明する。図１，図２は一実施例である鳥害防止装置を正面図及び側面図により示したものである。図３は、鳥害防止装置を果樹に使用した状態を説明図により説明したものである。鳥害防止装置１０は、網を丸めて筒状にされた変形自在な筒網１１と、筒網１１の両端開口にそれぞれ同軸状に固定された針金を丸めた一対のリング部１３，１５と、一方のリング部１３の円周の一箇所に連結されて径方向外方に延びた第１支持棒部２３と、第１支持棒部２３を長手方向を中心として回動可能に支持してその延長方向に延びる第２支持棒部２５と、一対のリング部１３，１５間に介在して筒網１１を筒状に維持する連結線材１７と、第１支持棒部２３のリング部１３への連結位置から延びてリング部１３の反対位置に固定される第２連結線材２３とを備えている。
【００１１】
筒網１１は、図４に示すように、繊維製あるいは樹脂製の糸を編んだ柔軟性のある網を丸めて、周方向の両端を縫い合わせることにより変形自在な円錐筒状に形成されている。リング部１３は、針金を丸めて円環形に形成されており、周方向の合わせ部分で互いに折り曲げられて円環形部分から径方向外方に延びた延長線部１４になっており、円環形部分にて筒網１１の大径側端部（図１の右端）に同軸状に固定されている。リング部１５は、針金を丸めてリング部１３より径の小さい円環形に形成されており、筒網１１の小径側端部（図１の左端）に同軸状に固定されている。
【００１２】
連結線材１７は、図５に示すように、リング部１３の延長線部１４近傍から筒網１１の軸線を交差してリング部１５の対角位置まで延びてリング部１５に固定される直線状の針金である第１線材１８と、リング部１３からリング部１５側にわずかに延びると共に折り曲げられた曲げ部１９ａとなって延長線部１４に重ねあわされる針金である第２線材１９とを有している。さらに、連結線材１７は、第１線材１８と第２線材１９の互いが交差する先端交差部分に細管状の保持部材２１が第１及び第２線材１８，１９に摺動可能に被せられており、両線材１８，１９を直線状に保持している。これにより、鳥害防止装置１０の使用の際には、保持部材２１を長手方向にスライドさせることにより、簡単に第１線材１８と第２線材１９を直線状に保持することができ、筒網１１を筒状に維持することができる。また、鳥害防止装置１０の使用後には、保持部材２１を長手方向にスライドさせることにより、簡単に直線状に保持された第１線材１８と第２線材１９が自由な状態にすることができ、筒網１１が筒状から解除されるため、鳥害防止装置１０を折りたたんでコンパクトにすることができる。第２連結線材２３は、直線状の針金であって、リング部１３の延長線部１４付け根位置に対して径方向反対位置で固定されて延長線部１４に沿って延びている。なお、第２連結線材２３については、必要に応じて省くことも可能である。
【００１３】
第１支持棒部２５は、図７に示すように、大径の下棒部２６と、下棒部２６の上端に固定されたソケット部２７と、ソケット部２７の上端開口を通して下棒部２６に挿入される小径の上棒部２８と有している。上棒部２８には、上端開口からリング部１３の延長線部１４と連結線材１７の曲げ部１９ａ及び第２連結線材２３が挿入されて固定されるようになっている。下棒部２６と上棒部２８とは、下棒部２６の軸方向の複数位置に設けた径方向に貫通する取付孔２６ａと、上棒部２８の下端に設けた取付孔に釘等を挿嵌することにより固定される。第２支持棒部３１は、図８に示すように、円筒状の長い棒部３２の上端にキャップ３３が取り付けられている。第１支持棒部２３は、図６に示すように、下棒部２４にて第２支持棒部３１に挿入することにより、ソケット部２５がキャップ３３によって受け止められて、第２支持棒部３１によって回動可能に支持されて、第２支持棒部３１と共に一本の支持棒部にされる。
【００１４】
鳥害防止装置１０は、図３に示すように、第１及び第２支持棒部２５，３１を上下に向けて果樹１が植えられた地面Ｇ上に立設されることにより、筒網１１が第１及び第２支持棒部２５，３１によって水平方向を向くように支持される。このように、筒状の筒網１１が水平方向に向いた状態で果樹１や作物等の上に配置されることにより、飛来した鳥類が筒網１１を見て脅威を感じ、果樹１や作物等から確実に離れるようになる。さらに、上記鳥害防止装置１０は、筒状になった筒網１１を支持する第１支持棒部２５を、第１支持棒２５と同一方向に延びる第２支持棒部３１によって長手方向を中心として回動可能に支持することにより、水平方向に向いた状態で果樹や作物等の上に配置された筒状の筒網１１が、風向きによって自由に方向を変えることができる。そのため、果樹園に飛来する烏等の鳥類に与える脅威が一層大きくなる。また、鳥類の数には関係なく、少数でも非常に多数の群れでも、鳥害防止装置１０から遠方に確実に離散させることができる。その結果、本実施例においては、果樹園において烏等や種々の渡り鳥等の鳥類が飛来するのを防いで鳥類による被害を確実に防止できる。
【００１５】
また、本考案の鳥害防止装置１０は、網を丸めて筒状にされた変形自在な筒網１１と、筒網１１の両端開口にそれぞれ同軸状に固定された針金製の一対の環状のリング部１３，１５と、筒網１１を筒状に維持する連結線材１７と、一方のリング部１３の円周の一箇所に連結されて径方向外方に延びた第１及び第２支持棒部２５，３１とからなる簡易な構造である。そのため、鳥害防止装置１０の設置及び取り外しが簡易であり、また鳥害防止装置１０が安価に提供される。
【００１６】
なお、上記実施例においては、連結線材１７が、第１線材１８と第２線材１９を保持部材２１で連結しているが、これに代えて、一本の線材のみで形成することも可能である。また、上記実施例においては、支持棒部は、第１支持棒部と第２支持棒部で直線状に連結されているが、第１及び第２支持棒部の連結構造についてはこれに限らない。また、支持棒部を第１支持棒部と第２支持棒部の２本で構成する代わりに、１本あるいは３本以上の棒材で構成することも可能である。さらに、支持棒部の長さについても、適用場所に応じて長さを適宜調節して使用できる。また、上記実施例においては、鳥害防止装置を果樹に対して適用した場合を示したが、その他に、田畑等での野菜や果物等の保護や、ゴミ集積所や街路樹や電柱での環境保護、養殖池や釣堀での魚類保護等でも、同様の効果が得られる。その他、上記実施例に示した鳥害防止装置については一例であり、本考案の主旨を逸脱しない範囲において種々変更して実施することが可能である。
【産業上の利用可能性】
【００１７】
本考案の鳥害防止装置は、一対のリング部間に介在した連結線材によって筒網が筒状に維持され、一方のリング部の円周の一箇所に取り付けられて径方向外方に延びた支持棒部が上下に向いた状態で、果樹や田畑の所定箇所等において支持棒部が上下方向を向いて立設されて筒状の筒網が水平方向を向くように支持されることにより、飛来した鳥類が筒網を見て脅威を感じ、果樹や作物等から確実に離れるようになり、田畑、果樹園、ゴミ集積所等において烏等の鳥類が飛来するのを防いで鳥類による被害を確実に防止できるので、有用である。
【図面の簡単な説明】
【００１８】
【図１】本考案の一実施例である鳥害防止装置を示す正面図である。
【図２】同鳥害防止装置を示す側面図である。
【図３】同鳥害防止装置の使用状態を説明する説明図である。
【図４】同鳥害防止装置の筒網部分の構成を示す側面図である。
【図５】同鳥害防止装置の連結線材の構成を示す側面図である。
【図６】同鳥害防止装置の連結された第１及び第２支持棒部を示す正面図である。
【図７】同第１支持棒部を示す正面図である。
【図８】同第２支持棒部を示す正面図である。
【符号の説明】
【００１９】
１０…鳥害防止装置、１１…筒網、１３…リング部、１４…延長線部、１５…リング部、１７…連結線材、２１…保持部材、２３…第２連結線材、２５…第１支持棒部、３１…第２支持棒部。
【図１】
0003120781.tif 000003
【図２】
0003120781.tif 000004
【図３】
0003120781.tif 000005
【図４】
0003120781.tif 000006
【図５】
0003120781.tif 000007
【図６】
0003120781.tif 000008
【図７】
0003120781.tif 000009
【図８】
0003120781.tif 000010